【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
（I）天然ゴム、合成ゴム、及びそれらの組み合わせからなる群から選択されたゴム成分；（II）加熱時にホルムアルデヒドを生成するメチレン供与体化合物；及び（III）下記式で表される、フェノール及びレゾルシノールノボラック樹脂配合物を含有するメチレン受容体化合物を含む、加硫性ゴム組成物であって、該式（１）のフェノール樹脂は、高オルト−オルト結合により特徴付けられるメチレン結合を含む、前記加硫性ゴム組成物：
【化１】
2006509900.tif 000001
（式中、ｎは１以上であり、ｍは１以上であり、かつＲは、Ｈ、炭素原子１〜１６個を有するアルキル基、及び炭素原子８〜１２個を有するアラルキル基からなる群から選択される。）。
【請求項２】
前記フェノール及びレゾルシノールノボラック樹脂配合物における、該フェノールノボラック樹脂と該レゾルシノールノボラック樹脂との重量比が、約９５：５〜５：９５である、請求項１記載の加硫性ゴム組成物。
【請求項３】
前記フェノール及びレゾルシノールノボラック樹脂配合物が、（a）下記式で表される１以上のフェノール化合物と、アルデヒドとを、オルト配向性触媒の存在下で反応させ、（ｂ）レゾルシノール−ホルムアルデヒドノボラック樹脂と結合させることによって製造される、請求項１記載の加硫性ゴム組成物：
【化２】
2006509900.tif 000002
（式中、Ｒは、Ｈ、炭素原子１〜１６個を有するアルキル基、及び炭素原子８〜１２個を有するアラルキル基からなる群から選択される。）。
【請求項４】
前記フェノールノボラック樹脂が、少なくとも５０％のオルト−オルト結合により特徴付けられるメチレン結合を含む、請求項１記載の加硫性ゴム組成物。
【請求項５】
前記メチレン受容体が、（Ａ）フェノール及び／又はアルキルフェノールと、（Ｂ）第一アルデヒドとを、（Ｃ）オルト配向性二価金属塩触媒の存在下で反応させ、少なくとも２５％のオルト−オルトフェノールメチレン架橋を含む高オルトフェノールノボラック生成物を製造し、次いで（Ｄ）レゾルシノール、レゾルシノール誘導体又はメタ−置換フェノールと反応させ、次いで（Ｅ）追加量の第二アルデヒドと反応させることによって製造された、請求項１記載の加硫性ゴム組成物。
【請求項６】
前記フェノール及びレゾルシノールノボラック樹脂配合物が、下記構造式を有する、請求項５記載の加硫性ゴム組成物：
【化３】
2006509900.tif 000003
（式中、ｎは１以上であり、かつｍは１以上である。）。
【請求項７】
前記第一アルデヒドがホルムアルデヒドであり、かつ前記フェノール及び／又はアルキルフェノールとホルムアルデヒドとのモル比が、約１：０．４〜０．８６である、請求項５記載の加硫性ゴム組成物。
【請求項８】
前記第二アルデヒドがホルムアルデヒドであり、かつ前記レゾルシノール、レゾルシノール誘導体又はｍ−置換フェノールと、ホルムアルデヒドとのモル比が、約１：０．４〜０．７である、請求項５記載の加硫性ゴム組成物。
【請求項９】
前記アルキルフェノールが、前記フェノールノボラック樹脂を製造するために用いられ、該フェノールノボラック樹脂がｏ−ｏ’メチレン結合を約４０〜７０％の範囲で含む、請求項５記載の加硫性ゴム組成物。
【請求項１０】
前記フェノールノボラック樹脂を製造するために用いられるアルキルフェノールが、炭素原子１〜１６個を有するアルキル鎖を含むパラ置換アルキルフェノール、ｐ−クレゾール、ｐ−tert−ブチルフェノール、ｐ−tert−オクチルフェノール、ｐ−tert−ノニルフェノール、ｐ−ノニルフェノール、ｐ−スチリルフェノール及びｐ−エチルフェノールからなる群から選択されるアラルキル置換フェノール、及びそれらの混合物から選択される、請求項５記載の加硫性ゴム組成物。
【請求項１１】
前記フェノール及び／又はアルキルフェノールと第一アルデヒドとのモル比が、約０．１：０．９及び約０．９：０．１の間である、請求項５に記載の加硫性ゴム組成物。
【請求項１２】
前記第一、及び第二アルデヒドが、それぞれ独立に、ホルムアルデヒド、アセトアルデヒド、プロピオンアルデヒド、ブチルアルデヒド、イソブチルアルデヒド、バレルアルデヒド、クロトンアルデヒド、ベンズアルデヒド、フルフラール又はそれらの混合物である、請求項５記載の加硫性ゴム組成物。
【請求項１３】
前記レゾルシノール誘導体又はメタ−置換フェノールが、２，４−ジヒドロキシベンゾフェノン、２，４−ジヒドロキシアセトフェノン、４−スチリルレゾルシノール、ｍ−クレゾール、カシューナッツ殻液、フロログルシノール、３−メチル−５−エチルフェノール、メタ−イソプロピルフェノール、ｍ−イソオクチルフェノール、３，５−ジメチルフェノール、及びそれらの混合物からなる群から選択される、請求項５記載の加硫性ゴム組成物。
【請求項１４】
前記メチレン受容体が、（Ａ）下記式で表される１以上のフェノール化合物と、（Ｂ）アルデヒドとを、（Ｃ）共沸溶媒、（Ｄ）酸化物、水酸化物、ギ酸塩、乳酸塩、酢酸塩、安息香酸塩と、カルシウム、バリウム、ストロンチウム、マグネシウム、亜鉛、マンガン、コバルト及び鉛の混合物とからなる群から選択された、二価の電気的陽性金属化合物を含有する、オルト配向性触媒の存在下で反応させ、（Ｅ）次いで、前記レゾルシノール、レゾルシノール誘導体又はプレフォームレゾルシノール−ホルムアルデヒドノボラック樹脂を加えることによって製造される、請求項１記載の加硫性ゴム組成物：
【化４】
2006509900.tif 000004
（式中、Ｒは、Ｈ、炭素原子１〜１６個を有するアルキル鎖、及び炭素原子８〜１２個を有するアラルキル基からなる群から選択される。）。
【請求項１５】
前記メチレン結合が、少なくとも６０％のオルト−オルト結合により特徴付けられる、請求項１記載の加硫性ゴム組成物。
【請求項１６】
前記メチレン受容体が、ｏ−ｏ’メチレン架橋を約９０〜約９８％含む、請求項１記載の加硫性ゴム組成物。
【請求項１７】
前記メチレン結合が、少なくとも８５％のオルト−オルト結合により特徴付けられる、請求項１記載の加硫性ゴム組成物。
【請求項１８】
前記メチレン結合が、少なくとも９５％のオルト−オルト結合により特徴付けられる、請求項１記載の加硫性ゴム組成物。
【請求項１９】
前記共沸溶媒が、トルエン及びキシレンからなる群から選択された、請求項１４記載の加硫性ゴム組成物。
【請求項２０】
ナイロン、レーヨン、ポリエステル、ポリアミド、ガラス繊維及び鋼からなる群から選択された補強材を、更に含む、請求項１記載の加硫性ゴム組成物。
【請求項２１】
前記ゴム組成物が、タイヤ、パワーベルト、コンベヤーベルト、印刷ロール、自動車のフロアマット、トラック又はボールミルライナー用泥よけを製造するための複合製品の製造において用いられる、請求項１記載の加硫性ゴム組成物の使用。
【請求項２２】
（I）天然ゴム、合成ゴム、及びそれらの組み合わせからなる群から選択されたゴム成分、（II）加熱時にホルムアルデヒドを生成するメチレン供与体化合物、及び（III）下記式で表される１以上のフェノール化合物と、アルデヒドとを、オルト配向性触媒の存在下で反応させ、フェノールノボラック樹脂を得て、次いでレゾルシノール−ホルムアルデヒドノボラック樹脂と結合させて、フェノール及びレゾルシノールノボラック樹脂配合物を得ることによって製造される、メチレン受容体化合物を含む、加硫性ゴム組成物であって、該フェノールノボラック樹脂は、高オルト−オルト結合により特徴付けられるメチレン結合を含む、前記加硫性ゴム組成物：
【化６】
2006509900.tif 000005
（式中、Ｒは、Ｈ、炭素原子１〜１６個を有するアルキル基、及び炭素原子８〜１２個を有するアラルキル基からなる群から選択される。）。